(57)【特許請求の範囲】
【請求項１】
アクセサリ若しくは交換レンズの被係合部に係合して該アクセサリ若しくは該交換レンズの外れを防止する係合部を有したロック機構において、
外部に露出して配設され操作者の押圧操作を受けて上記被係合部と上記係合部との係合状態を解除するためのロック解除部と、
板状の部材からなり、
上記係合部と上記ロック解除部とは距離を隔てて設けられており、
上記係合部と上記ロック解除部との間は弾性の撓みを生じさせることが可能な程度の長さを有し、
上記係合状態を解除するとき、通常のロック状態では、ロック解除操作によって上記板状の部材は変位しロック解除が行われ、
上記係合状態が異常な状態となったときには、ロック解除操作によって上記板状の部材が、通常のロック状態でのロック解除操作のときよりも撓んで上記係合状態を維持し得るロック板部材と、
上記係合部と上記被係合部とが係合可能となるように上記ロック板部材を押圧付勢する付勢部材と、
を具備し、
上記板状の部材は、上記係合部が設けられた位置から上記ロック解除部が設けられた位置までの長さから、さらに延びて、当該板状の部材を揺動させ得るように支持する揺動支軸部が設けられていることを特徴としたロック機構。
【請求項２】
上記係合部は、上記ロック板部材と板厚方向には一体的に移動し、当該ロック板部材の板面に沿う方向に移動し得るように設けられていることを特徴とした請求項１記載のロック機構。
【発明の詳細な説明】
【技術分野】
【０００１】
この発明は、撮像装置等の電子機器にアクセサリ若しくは交換レンズを着脱する着脱機構において、それらの装着状態の外れを防止するロック機構に関するものである。
【背景技術】
【０００２】
従来、様々な用途に対応した種々の電子機器が実用化され広く普及している。例えば、水中や海中等での使用を可能とするための、いわゆる防水機能を具備して構成される防水機器が一般に実用化されている。
【０００３】
この種の電子機器の一例として、例えば静止画像や動画像を取得するための撮像装置がある。この撮像装置は、例えば撮像光学系により結像された光学像を撮像素子等を用いて順次画像信号に変換して画像信号を取得し、取得された画像信号に基く画像を表示装置を用いて順次連続的に表示し得るように構成されている。また、当該撮像装置は、撮像指示信号が発生した時には、その指示信号の発生時点若しくはその前後の所定期間における静止画像若しくは動画像の画像信号を取得して、その画像信号を所定の形態の画像データに変換した後、記憶媒体に記録する機能を有する。さらに、当該撮像装置は、再生指示信号が発生した時には、記憶媒体に記録済みの画像データを所定の形態の画像信号に変換して、その画像信号に基く画像を表示装置を用いて再生表示し得るように構成されている。
【０００４】
このような形態の撮像装置においては、撮像光学系を含むレンズユニットをボディ本体に対して着脱自在に構成したいわゆるレンズ交換型の撮像装置がある。また、レンズユニットとボディ本体とを一体に構成したレンズ一体型の撮像装置等であっても、レンズユニットの前面部位若しくはボディ本体の所定の部位に、例えばコンバージョンレンズや照明装置等のアクセサリを着脱自在となるように構成されているものがある。
【０００５】
このような構成の従来の撮像装置においては、ボディ本体とレンズユニットとの着脱を実現するため、若しくはボディ本体又はレンズユニットと各種のアクセサリとの着脱を実現するための着脱機構が設けられている。そして、当該着脱機構においては、各ユニット同士の装着状態をロックして、機器の使用中等に意図せずに装着状態が外れてしまうことを防止するためのロック機構が設けられているものがある。この種のロック機構については、例えば特開２００８−８３３７７号公報（特許文献１）等によって、従来種々のものが提案されている。
【０００６】
上記特開２００８−８３３７７号公報等によって開示されている着脱機構は、レンズユニットとカメラボディの装着状態をロックするために、レンズユニットを係止するロック部材と、このロック部材によるレンズユニットのロック状態を押圧操作することで解除するロック解除用操作ボタンと、上記ロック部材と上記ロック解除用操作ボタンとを連結する連結部材と、上記ロック解除用操作ボタンを一方向に付勢することで上記ロック部材のロック状態を維持する付勢ばねとを備えて構成されている。
【０００７】
この場合において、ロック部材は、連結部材の一端部と一体に固設されている（例えばカシメ固定）。また、連結部材の他端部は、ロック解除用操作ボタンの押圧操作を受けて当該ロック解除用操作ボタンと同方向に移動し得るように構成されている。そして、ロック解除用操作ボタンは、上記付勢ばねによって常に一方向へと付勢されている。
【０００８】
このような構成により、ロック解除用操作ボタンは、操作力量を加えない通常状態では、付勢ばねによって一方向に常に付勢されており、ロック部材のロック状態を維持している。また、ロック解除用操作ボタンを付勢ばねの付勢力に抗して押圧操作すると、押圧操作方向に連結部材が移動し、この連結部材を介してロック部材も同方向に同じ移動量だけ移動する。これにより、ロック部材によるレンズユニットの係止が解除され、よって、レンズユニットの装着状態のロック状態は解除し得る状態となる。
【先行技術文献】
【特許文献】
【０００９】
【特許文献１】特開２００８−８３３７７号公報
【発明の概要】
【発明が解決しようとする課題】
【００１０】
ところが、上記特開２００８−８３３７７号公報等によって開示されている形態の従来構成のロック機構を、例えば防水機能を備えた撮像装置等に適用する場合、次のような問題点がある。即ち、当該撮像装置を水中若しくは海中等で使用する際には、防水機能を施した部位よりも外部の非水密の領域に、砂粒等の微小な異物が入り込む可能性が常にある。
【００１１】
例えば、上記ロック部材と上記ロック解除用操作ボタンとの間には、ロック解除用操作ボタンの押圧操作による上記ロック部材と上記ロック解除用操作ボタンとを繋げた連結部材の移動を許容するための空隙を有して構成されている。
【００１２】
ここで、上記ロック部材と上記ロック解除用操作ボタンとを大きく離して配置する構成とした場合、連結部材は押圧操作方向に対して直交する方向に長くする必要があると共に、ロック解除用操作ボタンの押圧操作方向の移動量や、このロック解除用操作ボタンの押圧操作に連動して同方向に移動するロック部材及び連結部材の各移動量を確保するための空間が必要になる。そのために、上記ロック部材と上記ロック解除用操作ボタンとを離して配置する構成の場合、ロック機構自体が大型化してしまうという問題点と同時に、各構成部材の移動空間内に砂粒等の微小な異物が入り込む可能性が大きくなるという問題点がある。
【００１３】
また、上記従来構成のロック機構においては、例えば、各構成部材の移動空間内に砂粒等の微小な異物が入り込んでロック部材の移動が阻止されてしまう状況や、ロック部材がレンズユニットに強く押し当てられて、当該ロック部材が移動し難い状況になってしまう等、ロック部材がロック状態で固定された状態になる可能性が考えられる。また、防水仕様の機器でなくとも、ロック部材とこれと係合する被係合部とがなんらかの原因で噛み付いた状態の固定状態となることもある。例えば、ロック部材が細長いピン状のものからなり被係合部がこれと精密に嵌合する穴からなり、ピンの外周面が該穴の内周面によって強く押し付けられている場合などである。
【００１４】
このような状況（ロック部材の固定状態）となったときに、無理にロック解除用操作ボタンの押圧操作を行うと、ロック解除用操作ボタンが破損したり、連結部材に変形が生じる等の問題が発生する可能性も考えられる。この場合において部材の破損や変形等を抑止するためには、高い強度の素材を用いることが考えられるが、そのような安易な対策では、機器が大型化してしまうという問題が常にある。
【００１５】
そこで、従来構成のロック機構を防水機器に適用するには、上記ロック部材と上記ロック解除用操作ボタンとをできるだけ近接した位置に配置するのが望ましく、よって部材配置に制約が生じてしまうという問題点がある。
【００１６】
本発明は、上述した点に鑑みてなされたものであって、その目的とするところは、電子機器（例えば防水機能を備えた撮像装置）等にアクセサリ若しくは交換レンズを着脱する着脱機構において、それらの装着状態の外れを防止するロック機構であって、ロック部材とロック解除用操作部材とを離れた位置に配置しても常にスムースに操作することができ、ロック部材とロック解除用操作部材の配置の自由度を確保しながら、ロック部材が固定状態となってしまったときに、ロック解除用操作部材を操作しても当該ロック解除用操作部材の損傷や変形を抑止することができる構造のロック機構を提供することである。
【課題を解決するための手段】
【００１７】
上記目的を達成するために、本発明の一態様のロック機構は、アクセサリ若しくは交換レンズの被係合部に係合して該アクセサリ若しくは該交換レンズの外れを防止する係合部を有したロック機構において、外部に露出して配設され操作者の押圧操作を受けて上記被係合部と上記係合部との係合状態を解除するためのロック解除部と、板状の部材からなり、上記係合部と上記ロック解除部とは距離を隔てて設けられており、上記係合部と上記ロック解除部との間は弾性の撓みを生じさせることが可能な程度の長さを有し、上記係合状態を解除するとき、通常のロック状態では、ロック解除操作によって上記板状の部材は変位しロック解除が行われ、上記係合状態が異常な状態となったときには、ロック解除操作によって上記板状の部材が、通常のロック状態でのロック解除操作のときよりも撓んで上記係合状態を維持し得るロック板部材と、上記係合部と上記被係合部とが係合可能となるように上記ロック板部材を押圧付勢する付勢部材と、を具備し、上記板状の部材は、上記係合部が設けられた位置から上記ロック解除部が設けられた位置までの長さから、さらに延びて、当該板状の部材を揺動させ得るように支持する揺動支軸部が設けられている。
【発明の効果】
【００１８】
本発明によれば、電子機器（例えば防水機能を備えた撮像装置）等にアクセサリ若しくは交換レンズを着脱する着脱機構において、それらの装着状態の外れを防止するロック機構であって、ロック部材とロック解除用操作部材とを離れた位置に配置しても常にスムースに操作することができ、ロック部材とロック解除用操作部材の配置の自由度を確保しながら、ロック部材が固定状態となってしまったときに、ロック解除用操作部材を操作しても当該ロック解除用操作部材の損傷や変形を抑止することができる構造のロック機構を提供することができる。
【図面の簡単な説明】
【００１９】
【図１】本発明の一実施形態のロック機構が適用される防水機器（撮像装置）の主に前面を示す外観斜視図
【図２】図１の防水機器（撮像装置）の外装部材の一部（トップカバー，右側面カバー及びレンズ周縁装飾環）を取り外した状態を示す要部外観斜視図
【図３】図２の状態の防水機器（撮像装置）からさらに外装部材の他の一部（前面カバー）を取り外した状態を示す要部外観斜視図
【図４】本発明の一実施形態のロック機構を取り出して分解した状態を拡大して示す要部拡大分解斜視図
【図５】本発明の一実施形態のロック機構を簡略化して概念的に示す概念図（図４の矢印符号［５］で示す方向から見た際の矢視図）
【図６】図１の矢印符号［６］で示す平面に沿う断面図
【図７】図６の矢印符号［７］で示す領域を拡大して示す要部拡大断面図
【図８】図１の矢印符号［８］で示す平面に沿う断面に相当しコンバージョンレンズ装着状態の断面図
【図９】図１の矢印符号［９］で示す平面に沿う断面図
【発明を実施するための形態】
【００２０】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量や構成要素の形状や構成要素の大きさの比率や各構成要素の相対的な位置関係等に関し、図示の形態のみに限定されるものではない。
【００２１】
本発明のロック機構は、電子機器（例えば防水機能を備えた撮像装置（デジタルカメラ）等に対してアクセサリ若しくは交換レンズを着脱する着脱機構において、それらの装着状態の外れを防止するための機構ユニットである。
【００２２】
以下に説明する一実施形態によって例示するロック機構は、例えば水中や海中等での使用を可能とするための防水機能を具備すると共に、防塵機能，耐衝撃機能，耐候機能を持たせて構成される防水機器としての撮像装置、例えばデジタルカメラ（単にカメラともいう）に適用される場合の一例である。
【００２３】
なお、上記撮像装置は、具体的には例えば、撮像光学系により結像された光学像を撮像素子等を用いて順次画像信号に変換し、これにより取得された画像信号に基く画像を表示装置を用いて順次連続的に表示する。また、当該撮像装置は、撮像指示信号が発生した時には、その指示信号の発生時点若しくはその前後の所定期間における静止画像若しくは動画像の画像信号を取得する。そして、当該撮像装置は、取得した画像信号を所定の形態の画像データに変換して記憶媒体に記録する。さらに、当該撮像装置は、再生指示信号が発生した時には、記憶媒体に記録済みの画像データを所定の形態の画像信号に変換して、その画像信号に基く画像を表示装置を用いて再生表示し得る。本実施形態の説明ではこれに加えて、当該撮像装置は、水中若しくは海中等での使用を可能とするための防水機能のほか、防塵，耐衝撃，耐候機能を具備して構成されているものである。
【００２４】
また、本実施形態においては、当該撮像装置の各面について以下のように定義する。当該撮像装置の使用時において被写体に対向する面を前面というものとする。また、当該撮像装置の使用時に使用者が対面する面を背面というものとする。そして、当該撮像装置に設けられる複数の操作部材のうち例えばシャッターレリーズボタンが配設されている面を上面というものとする。さらに、当該撮像装置の上面に対向する面を底面というものとする。また、当該撮像装置の通常の使用状態で両側に配置される面を左側面及び右側面というものとする。この場合における左右の判別は、被写体側から当該撮像装置の前面に向かって見たときの左側又は右側をそれぞれ左又は右として区別するものとする。
【００２５】
まず、本実施形態のロック機構２０（図４参照）が適用される防水機器としての撮像装置１（デジタルカメラ）の概略構成について、図１，図２，図３を用いて以下に説明する。
【００２６】
図１は、本発明の一実施形態のロック機構が適用される防水機器（撮像装置）の主に前面を示す外観斜視図である。図２は、図１の防水機器（撮像装置）の外装部材の一部（トップカバー，右側面カバー及びレンズ周縁装飾環）を取り外した状態を示す要部外観斜視図である。図３は、図２の状態の防水機器（撮像装置）からさらに外装部材の他の一部（前面カバー）を取り外した状態を示す要部外観斜視図である。
【００２７】
図４は、本発明の一実施形態のロック機構を取り出して分解した状態を拡大して示す要部拡大分解斜視図である。図５は、本発明の一実施形態のロック機構を簡略化して概念的に示す概念図である。この図５は、本実施形態のロック機構を図４の矢印符号［５］で示す方向から見た際の矢視図である。
【００２８】
図６は、図１の矢印符号［６］で示す平面に沿う断面図である。ここで、図６は、ロック解除ボタン８（操作部材）を含むロック機構の断面（一部）を主に示すものである。また図７は、図６の矢印符号［７］で示す領域を拡大して示す要部拡大断面図である。
【００２９】
図８は、図１の矢印符号［８］で示す平面に沿う断面に相当し、コンバージョンレンズ装着状態の断面図である。つまり、図８においては、レンズ周縁装飾環１２に代えてアクセサリ等の一例としてコンバージョンレンズ２１を装着した状態の断面を示している。
【００３０】
図９は、図１の矢印符号［９］で示す平面に沿う断面図である。ここで、図９は、ロック解除ボタン８（操作部材）を含むロック機構の断面を主に示すものである。
【００３１】
なお、図３，図６〜図９等においては、本発明とは直接関わりのない内部構成部材、例えば本体筐体の内部に収納配置される各種の構成ユニット、具体的には例えば撮像光学系や撮像素子等を含む撮像ユニットや、表示パネル等を含む表示ユニット、制御用メイン基板等を含む電気的な構成ユニット等のほか、上記本体筐体の外部に設けられる各種の操作部材等の図示を省略している。
【００３２】
本実施形態のロック機構２０が適用される撮像装置１は、基本筐体となる本体筐体１０（図１では不図示；図２，図３参照）と、この本体筐体１０の内部に収納される各種の構成ユニット（例えば撮像光学系や撮像素子等を含む撮像ユニット、表示パネル等を含む表示ユニット、制御用メイン基板等を含む電気的な構成ユニット等；いずれも不図示）と、上記本体筐体１０の外面を覆う複数の外装部材（２，３Ｌ，３Ｒ；図３では不図示；図１，図２参照）と、複数の操作部材（４〜８；図１参照，図２，図３では符号８以外は不図示）等を有して構成されている。
【００３３】
上記本体筐体１０は、内部に空間を有して形成される形状、例えば略矩形箱型形状の基本構成部材である。この本体筐体１０の内部には、上述したように、不図示の各種の構成ユニットが収納配置されている。
【００３４】
上記本体筐体１０の外面は、複数の外装部材（２，３Ｌ，３Ｒ）によって覆われている。例えば、前面カバー２は、上記本体筐体１０の外面の各面のうち主に前面，上面の一部，底面，左右側面の一部を覆うように形成されている。また、トップカバー３（Ｌ，Ｒ）は、上記本体筐体１０の上面の所定の部位（左右肩部）を覆うように形成されている。なお、外装部材は、上述の前面カバー２，トップカバー３（Ｌ，Ｒ）以外にも、例えば上記本体筐体１０の背面の一部を覆う背面カバー等がある。この背面カバーは、図１においては見えない部分であるので、その図示及び説明は省略する。
【００３５】
上記前面カバー２の略中央部分には、略円形状の撮像用開口２ａが形成されている（図１，図２参照）。これに対応して、上記本体筐体１０の前面には、その略中央部分に略円形状の撮像用開口１０ａが形成されている（図２，図３参照）。なお、当該撮像装置１においては、上記撮像用開口２ａ，１０ａを略円形状として例示しているが、これに限られることはなく他の形状であってもよい。
【００３６】
上記本体筐体１０に対して上記前面カバー２を組み付けた状態とした時（図１，図２の状態とした時）、上記撮像用開口２ａ，１０ａは略一致するように構成されている。これら撮像用開口２ａ，１０ａは、被写体からの光束を当該撮像装置１の内部に導入するための開口である。つまり、筐体（本体筐体１０）は、光束を通過させるための開口（撮像用開口１０ａ）を有している。なお、図１〜図３に示す符号Ｏは、上記撮像用開口２ａ，１０ａの略中心軸を示し、同時に、当該撮像装置１の撮像光学系に入射する被写体からの光束の光軸を示す。
【００３７】
上記撮像用開口１０ａの外周縁部には、図２，図３に示すように、アクセサリ若しくは交換レンズ（以下、単にアクセサリ等というものとする）を着脱する着脱機構の一部である複数のバヨネット爪１０ｃと、当該着脱機構によるアクセサリ等の装着状態の外れを防止するロック機構２０が設けられている。なお、ロック機構２０の詳細な説明は後述する。
【００３８】
上記複数のバヨネット爪１０ｃは、例えばアクセサリ等のがわに設けられる被係合部（不図示）との間でバヨネット結合を実現する着脱機構における構成部の一つである係合部である。本撮像装置１は、当該着脱機構を具備することによって、前面の所定の部位（撮像用開口２ａ，１０ａ周りの部位）に対して、複数種類のアクセサリ等のうちの一つを択一的に装着し得ると共に、装着したアクセサリ等を簡単に取り外しすることができるように構成されている。
【００３９】
図１に示す状態（図６も参照）においては、上記複数のバヨネット爪１０ｃを用いて、外装部材の一部であるレンズ周縁装飾環１２が装着されている状態を示している。
【００４０】
このレンズ周縁装飾環１２は、撮像用開口２ａ，１０ａの外周縁部を覆い得るように略円環形状に形成された装飾用の外装部材である。そのために、当該レンズ周縁装飾環１２は、上記複数のバヨネット爪１０ｃに対応して係合される被係合部であって、アクセサリ等に設けられるものと同形態の被係合部（不図示）を有して形成されている。
【００４１】
なお、後述する図８に示す状態においては、撮像装置１の前面に装着されるアクセサリ等の装着例の一例としてアダプタ２２を介してコンバージョンレンズ２１が装着されているようすを示している。この場合において、アダプタ２２は上記複数のバヨネット爪１０ｃを用いて本体筐体１０との間でバヨネット結合している。そして、アダプタ２２の前面側に設けられた雌ネジ部２２ａに対して、コンバージョンレンズ２１の雄ネジ部２１ａをネジ結合させることで装着状態としている。
【００４２】
一方、上記前面カバー２の前面の右上部には、略矩形状の閃光発光窓２ｂが形成されている（図１，図２参照）。これに対応して、上記本体筐体１０の前面の右上部には、略矩形状の閃光発光窓用開口１０ｂが形成されている（図３参照）。そして、これら閃光発光窓２ｂ及び閃光発光窓用開口１０ｂには、閃光発光装置の発光部（不図示）が配設されている。
【００４３】
上記複数の操作部材（４〜８）は、上記外装部材（２，３Ｌ）の外表面から一部が露呈するように配設されている（図１参照）。
【００４４】
例えば、上記前面カバー２の前面において上記撮像用開口２ａの近傍には、ロック解除ボタン８が配設されている。このロック解除ボタン８は、上記撮像用開口２ａの周縁に装着するアクセサリ等の着脱時に操作する操作部材である。このロック解除ボタン８は、例えば押圧操作式の操作部材である。
【００４５】
上記ロック解除ボタン８は、本体筐体１０の外面に設けられ、着脱機構によるアクセサリ等の装着状態の外れを防止するためのロック機構２０の一部を構成する構成部材である。このロック解除ボタン８は、当該ロック機構２０に機械的に連動するように構成されている。なお、上記ロック機構２０は、本発明の要旨となる構成ユニットであり、その詳細構成の説明は後述する。
【００４６】
上記トップカバー３Ｌには、複数の操作部材（４〜７）が配設されている。ここで、当該トップカバー３Ｌは、本撮像装置１の外面の一部（上面の左肩部）を覆う外装部材である。当該トップカバー３Ｌは、上記複数の操作部材（４〜７）のそれぞれを外部から操作可能とするために、各操作部材の一部を外部に露呈させるように構成されている。換言すると、上記トップカバー３Ｌは、上記複数の操作部材（４〜７）の一部を露呈させつつ、それ以外の部分を覆うように形成されている。
【００４７】
上記複数の操作部材（４〜７）のうちの回動操作レバー４は、例えばズーミング操作を行うための回転操作式の操作部材（ズームレバー）である。また、上記複数の操作部材のうちの符号５で示す押圧操作式の操作部材は、例えばシャッターレリーズ操作を行うためのレリーズ操作部材である（以下、シャッターレリーズボタン５という）。そして、上記複数の操作部材のうちの符号６で示す押圧操作式の操作部材は、例えば当該撮像装置１の電源のオンオフ操作を行うための電源操作部材である（以下、電源ボタン６という）。さらに、上記複数の操作部材のうちの符号７で示す回転操作式の操作部材は、例えば各種の設定操作を行うための設定切り換え用部材である（以下、設定ダイヤル７という）。
【００４８】
これら複数の操作部材（４〜７）からの操作入力は、本体筐体１０の内部に配設されている電気基板（不図示）上に実装される各対応する複数の電気的構成部材（スイッチ部材；不図示）に作用して、各所定の制御が実行されるように構成されている。
【００４９】
他方、上記本体筐体１０の上記撮像用開口１０ａには、透明窓部材１１が撮像用開口１０ａを覆うように配設されている。この透明窓部材１１は、当該撮像装置１の前面に対向する位置に配される被写体からの光束を通過させる得るように、例えば平板状の透明部材、例えば板ガラス又はアクリル製若しくはポリカーボネート製の板状透明部材によって形成されている。そして、当該透明窓部材１１の外周縁部は、上記本体筐体１０の上記撮像用開口１０ａの周縁部に対して、例えば接着剤等の接合部材を用いて水密的に密着固定されている。
【００５０】
なお、本実施形態においては、上記透明窓部材１１は、撮像用開口２ａ，１０ａに合わせた略円形状に形成された例を示している。しかしながら、当該透明窓部材１１の形状は、この例示のみに限られることはない。上記透明窓部材１１は、上記撮像用開口２ａ，１０ａを覆い得る形状であれば如何様に形成されていてもよい。
【００５１】
次に、本実施形態のロック機構２０の構成について、図４等を用いて以下に詳述する。本実施形態のロック機構２０は、上述したように、本撮像装置１の着脱機構によるアクセサリ等の装着状態の外れを防止するための構成ユニットである。このロック機構２０は、上記本体筐体１０の外面と上記前面カバー２との間の空間であって、上記撮像用開口２ａ，１０ａの外周縁部近傍の所定の位置に配設されている。
【００５２】
当該ロック機構２０は、図４等に示すように、ロック解除ボタン８（押圧式操作部材）と、係合部材９と、ロック板部材１５と、付勢部材１４とを有して主に構成されている。
【００５３】
上記ロック解除ボタン８は、一部が外部に露出して配設され、操作者の押圧操作を受けて、アクセサリ等の被係合部（不図示）と係合部材９の係合部（後述；符号９ｂ参照）との係合状態を解除するためのロック解除部として機能する操作部材である。尚、アクセサリ等の被係合部は、係合部材９が係合可能となるように、係合部材９が移動する方向に深さを有する有底穴、係合部材９が移動する方向に貫通する貫通孔、若しくは切欠などで形成されている形状がアクセサリ側に設けられている。
【００５４】
上記ロック解除ボタン８は、全体として中空の略円筒形状に形成され、一面に開口８ｂを有し、他面に操作者が操作するための閉塞した操作面８ａを有して形成されている。開口８ｂの外周縁部にはフランジ部８ｃが形成されている。
【００５５】
このような形状により、当該ロック解除ボタン８は、操作面８ａを含む一部が前面カバー２の孔２ｃ（図１，図２参照）から外部に露呈した状態で配設される。この場合において、フランジ部８ｃは、上記孔２ｃの直径よりも大径に形成されている。したがって、当該ボタン８は、前面カバー２の孔２ｃより外部へと抜け落ちないように形成されている。これと同時に、当該ロック解除ボタン８は、前面カバー２と本体筐体１０との間において、光軸Ｏに平行な方向（図５の矢印Ｐ方向）に押圧自在に配設されている。
【００５６】
係合部材９は、上記本体筐体１０の撮像用開口１０ａの外周縁部に沿う位置において、光軸Ｏに平行な方向（図５の矢印Ｘ１，Ｘ２方向；板厚方向）にロック板部材１５と一体に移動し、アクセサリ取付面に対して突没自在となるように配設されている。つまり、係合部材９は、アクセサリ等の被係合部（不図示）に係合することで、当該アクセサリ等の装着状態をロック状態として、当該アクセサリ等の外れを防止するロック部材である。
【００５７】
この係合部材９は、アクセサリ等の被係合部（不図示）に係合して当該アクセサリ等の外れを防止する係合部９ｂと、ロック板部材１５の後述する一腕部１５ｂの先端１５ｄが係合配置される係合孔９ａとを有している。そして、当該係合部材９は、通常の場合、ロック板部材１５を介して後述する付勢部材１４の付勢力によって、光軸Ｏに平行な方向においてアクセサリ取付面よりも突出する方向（図５の矢印Ｘ１方向）に付勢されている。また、上記ロック解除ボタン８のロック解除操作（押圧操作）がなされてロック板部材１５が後述するように揺動し、変位すると、当該ロック板部材１５が係合部材９をアクセサリ取付面よりも下方へ没する方向、即ちロック解除方向（図５の矢印Ｘ２方向）へと移動させ得るように構成されている（詳細後述）。
【００５８】
ロック板部材１５は、所定の押圧力量を受けると撓みを生じさせ得る程度の弾性を有する板状の部材によって形成されている。ロック板部材１５は、例えば、金属素材からなる細長の板状部材をプレス加工等によって形成されたものが適用される。
【００５９】
このロック板部材１５は、上記係合部材９の係合部９ｂと上記ロック解除ボタン８（ロック解除部）との間を連結して、当該ロック解除ボタン８のロック解除のためになされる押圧操作の力量を受けて、上記係合部材９をロック解除方向へと移動させる機能を有する。
【００６０】
上記ロック板部材１５は、図３等に示すように、本体筐体１０の前面の所定の部位に配設されている。本実施形態においては、本体筐体１０の前面の右下寄り部位に配設した例を示している（図３参照）。この場合において、上記ロック板部材１５は、本体筐体１０の前面に対して平行に、かつ細長の板状部材における長辺が、当該本体筐体１０の左右方向に延びるように載置されている。
【００６１】
上記ロック板部材１５は、細長の板状部材の中程の部位に穿設される貫通孔１５ａと、この貫通孔１５ａを中心として一方向に延出する一腕部１５ｂと、同様に上記貫通孔１５ａを中心として他方向に延出する他腕部１５ｃとによって形成されている。
【００６２】
上記ロック板部材１５の貫通孔１５ａと本体筐体１０の前面との間には、付勢部材１４が配設されている。この場合において、円錐コイルばねからなる付勢部材１４は、光軸Ｏに平行な方向であって図５の矢印Ｐとは反対方向となる矢印Ｆ方向に向けてロック板部材１５の一部及びボタン８を付勢している。これにより、付勢部材１４は、係合部材９の係合部９ｂとアクセサリ等の被係合部（不図示）とが係合するように上記ロック板部材１５（及びロック解除ボタン８）を付勢する役目をしている（詳細後述）。
【００６３】
また、上記ロック板部材１５は、抜け止め板部材１６とビス１７とによって、本体筐体１０の前面に対して固定されている。抜け止め板部材１６は、中央部にビス貫通孔１６ａと、当該ビス貫通孔１６ａの外縁部から径方向に向けて突出する複数のオサエ部１６ｂを有して形成されている。複数のオサエ部１６ｂは、本実施形態では、例えばビス貫通孔１６ａの周方向に角度１８０度離した位置に形成した例を示している。
【００６４】
そして、抜け止め板部材１６は、上記複数のオサエ部１６ｂが上記ロック板部材１５の貫通孔１５ａの外周縁の複数箇所を抑えるように配置される。この状態で、抜け止め板部材１６は、ビス１７を用いて本体筐体１０の前面の固定部１０ｄ（図７参照）に対してビス止め固定される。上記ロック板部材１５は、このような形態で本体筐体１０の前面に対して抜け止めされている。
【００６５】
さらに、ロック板部材１５の貫通孔１５ａ及び抜け止め板部材１６の設けられている部位にはロック解除ボタン８が配置される。このとき、ロック解除ボタン８は、ロック板部材１５上の抜け止め板部材１６を覆うように配置される。そして、当該ロック解除ボタン８は、上述したように、前面カバー２の孔２ｃより一部（操作面８ａ）を外部に露呈させて、かつ前面カバー２から抜け落ちないように配設されている。
【００６６】
なお、この場合において、ロック解除ボタン８には、開口８ｂの外周縁部のフランジ部８ｃの一部に切欠８ｄが形成されている。即ち、開口８ｂ側に摺り割り状の切り込み形状が形成されている。ロック解除ボタン８をロック板部材１５上の所定の位置、即ち抜け止め板部材１６を覆うように配置する時、当該切欠８ｄを抜け止め板部材１６のオサエ部１６ｂと合致させるように配置する。これにより、ロック解除ボタン８は回転が規制され、さらにロック解除ボタンは、この状態で光軸と平行に移動可能となっていて切欠８ｄの中をオサエ部１６ｂが相対的に移動可能となっている。
【００６７】
上記ロック板部材１５の一腕部１５ｂは、上記貫通孔１５ａから径方向において撮像用開口１０ａ寄りの一方向に向けて延出している。そして、この一腕部１５ｂの先端１５ｄは、上述したように、係合部材９の係合孔９ａに係合配置されている。ここで、先端１５ｄは、係合孔９ａにおいて若干の余裕を持って（即ちガタを有するように）、換言すると遊嵌状態を維持して配置されている。この構成により、係合部材９の係合部９ｂは、係合孔９ａにおいて、ロック板部材１５と板厚方向には一体的に移動し、ロック板部材１５の板面に沿う方向に若干の移動を許容するように設けられている。
【００６８】
この構成により、上記ロック板部材１５の一腕部１５ｂは、距離を隔てて設けられている係合部材９の係合部９ｂとロック解除ボタン８（ロック解除部）との間を連結している。この場合において、係合部材９の係合部９ｂとロック解除ボタン８との間、即ち上記ロック板部材１５の一腕部１５ｂは、当該ロック板部材１５の弾性の撓みを生じさせることが可能な程度の長さと素材からなるように構成している。
【００６９】
上記ロック板部材１５の他腕部１５ｃは、上記貫通孔１５ａから径方向において右側面寄りの他方向に向けて延出している。換言すると、上記ロック板部材１５の他腕部１５ｃは、上記係合部材９が設けられた位置からロック解除ボタン８（ロック解除部）が設けられた位置までの長さから、さらに延びて形成される部位である。
【００７０】
この他腕部１５ｃの先端には、当該ロック板部材１５の長辺方向に対して直交する方向に、当該ロック板部材１５から外部に向けて両方向に突出する二つの突出部が形成されている。そして、この二つの突出部は、それぞれが、当該ロック板部材１５の平面に対して略直角にかつ上記本体筐体１０の前面に向けて折り曲げた曲げ部１５ｅが形成されている。さらに、この二つの曲げ部１５ｅの各先端１５ｅｅは、略半円形状となるように形成されている（図５，図９等参照）。このように形成された上記ロック板部材１５の他腕部１５ｃの上記複数（二つ）の曲げ部１５ｅは、本体筐体１０の前面に形成された嵌合穴１０ｅにそれぞれ嵌合されて固定されている。この構成により、上記ロック板部材１５は、上記曲げ部１５ｅを回転中心として図５に示す矢印符号Ｓ方向に揺動するように構成されている。即ち、当該他腕部１５ｃは、上記ロック板部材１５を揺動させ得るように支持する支点となる揺動支軸部である。
【００７１】
また、上記ロック板部材１５の他腕部１５ｃには、先端の曲げ部１５ｅと上記貫通孔１５ａとの間の所定の部位に、上記曲げ部１５ｅと略同形態の二つの第２曲げ部１５ｆが形成されている。これら二つの第２曲げ部１５ｆは、上記曲げ部１５ｅと同形態に本体筐体１０の前面に形成された嵌合穴１０ｆにそれぞれ嵌合されている。この構成により、上記二つの第２曲げ部１５ｆは、当該ロック板部材１５が上記曲げ部１５ｅを回転中心として図３，図４に示す矢印符号Ｒ方向に回転するのを規制している。即ち、ロック板部材１５の板面に沿う方向への移動を阻止（禁止）している。
【００７２】
そして、上記本体筐体１０の前面において、上記ロック板部材１５が配設される部位には、図９に示すように、上記嵌合穴１０ｅの形成されている位置から左側面に向けて細長の凹状溝１０ｇ（図３，図９参照）が形成されている。上記ロック板部材１５は、上記本体筐体１０の前面においては、上記凹状溝１０ｇに収納されるように配置されている。この場合において、上記凹状溝１０ｇは、図９に示すように、上記嵌合穴１０ｅの部位から左側面に向けて（即ち撮像用開口１０ａのあるがわに向けて）溝の深さが深くなるように緩やかな傾斜面１０ｇｇ（図９の太線表示部分参照）が形成されている。この傾斜面１０ｇｇは、上記ロック板部材１５が上記曲げ部１５ｅを回転中心として図５に示す矢印Ｓ方向に揺動の変位及び撓むことを許容するために形成されている。
【００７３】
即ち、上記ロック板部材１５は、ロック解除ボタン８の押圧操作力を受けて図５の矢印Ｐ方向に押圧され、また付勢部材１４の付勢力を受けて図５の矢印Ｆ方向に付勢されている。これらの力量を受けたとき、上記ロック板部材１５は、上記曲げ部１５ｅを回転中心として図５に示す矢印Ｓ方向に揺動し、変位することにより、係合部材９を図５の矢印Ｘ１，Ｘ２方向に移動させることができるように構成されている。
【００７４】
このような作用を考慮して、係合部材９の係合孔９ａに対するロック板部材１５の先端１５ｄの配置状態は、上述したように、若干の余裕を有するように、即ち遊嵌状態を維持して配置されている。本実施形態のロック機構２０は、以上のように構成されている。
【００７５】
また、上記撮像装置１におけるその他の構成については、本発明に直接関連しない部分であるので、その詳細構成の説明は省略すると共に、図面の煩雑化を避けるために、それらの図示も省略する。なお、これら省略された構成については、従来の光学機器である撮像装置において適用されているものと同様のものが適用されているものとする。
【００７６】
上述のように構成された本実施形態のロック機構２０の作用を以下に説明する。当該ロック機構２０において、例えばアクセサリ等の被係合部（不図示）と係合部材９の係合部９ｂとの係合状態を解除するときには、操作者はロック解除ボタン８を押圧するロック解除操作をおこなう。
【００７７】
このとき、当該ロック機構２０による上記係合状態が正常な状態であれば、上記ロック解除操作によって、ロック解除ボタン８は、図５の矢印Ｐ方向に押圧される。これに伴って、上記ロック板部材１５も同方向（図５の矢印Ｐ方向）に押圧される。したがって、上記ロック板部材１５は、アクセサリの被係合部との摩擦に抗しながら僅かに撓みながらも揺動して、係合部材９を図５の矢印Ｘ２方向に移動させる。また、アクセサリの被係合部とロック板部材１５との係合に全く引っかかりが無くスムースにその係合が外れるようであればロック板部材１５は全く撓むことなく、揺動し、変位する。これにより、上記係合状態、即ちロック状態は解除される。この状態で、操作者は、ロック解除ボタン８の押圧操作を維持しながら、装着されているアクセサリ等を光軸Ｏ周りに回転させる。このとき、アクセサリ等を光軸Ｏ周りにある程度回転させると、所定の時点で、上記ロック機構２０による係合状態は阻止されるので、ロック解除ボタン８の押圧操作を解除してもよい。操作者が、ロック解除ボタン８の押圧操作を解除すると、当該ロック解除ボタン８及びロック板部材１５は、付勢部材１４の付勢力によって図５の矢印Ｆ方向に移動し、元の位置に復帰する。一方、操作者は、引き続きアクセサリ等を光軸Ｏ周りに回転させることで、当該アクセサリ等と本体筐体１０のバヨネット爪１０ｃとのバヨネット結合を解除させることができる。これにより、当該アクセサリ等を撮像装置１の前面から取り外すことができる。
【００７８】
一方、当該ロック機構２０による上記係合状態が異常な状態、例えばロック機構２０に砂粒等の微小な異物が入り込んだり、ロック部材とこれと係合している被係合部との異常な噛み付き等によって係合部材９やロック板部材１５が移動し得ない状況となっている場合に上記ロック解除操作を実行すると、上記ロック板部材１５は、通常のロック状態でのロック解除操作のときよりも大きく撓んで上記係合状態を維持することになる。このとき、操作者は、上記ロック解除操作を行っても上記係合状態を解除することができないことから、上記係合状態が異常な状態にあることがわかる。このような場合には、例えば撮像装置１を水中に入れて洗い流す等の措置を施せば、上記ロック機構２０への砂粒等の微小異物を除去する操作を行う。そうして、再度ロック解除操作を行えばよい。その後、上記係合状態の異常状態が解消されていれば、上述した通常状態の場合で説明したように、ロック解除ボタン８の押圧操作によって上記ロック板部材１５は変位して、係合部材９を図５の矢印Ｘ２方向に移動させる。これにより、上記係合状態は解除される。以後の作用は同様である。
【００７９】
以上説明したように、上記一実施形態によれば、ロック機構２０によるアクセサリ等の被係合部（不図示）と係合部材９の係合部９ｂとの係合状態が正常な状態であれば、ロック解除操作によってロック解除ボタン８はロック板部材１５を変位させて容易に上記係合状態（ロック状態）を解除することができる。一方、上記係合状態が異常な状態となったときにロック解除操作を実行したとしても、ロック機構２０における構成部材を損傷させたり変形させたりすることがない。
【００８０】
また、係合部材９の係合部９ｂとロック解除ボタン８（ロック解除部）との間を、所定の押圧力量を受けると撓みを生じさせ得る程度の弾性を有する板状の部材によって形成されたロック板部材１５の一腕部１５ｂにて連結する構成としている。これと同時に、同ロック板部材１５の他腕部１５ｃの端部を支持すると共に、同ロック板部材１５の中程の部位を操作部材（ロック解除ボタン８）で押圧操作するように構成している。
【００８１】
このような構成によって、係合部材９の係合部９ｂとロック解除ボタン８（ロック解除部）との間を距離を隔てて構成しながら、容易にかつ簡便にロック解除ボタン８による押圧操作を係合部材９へと伝達することができ、当該係合部材９の係合部９ｂによるアクセサリ等との係合状態を容易に解除することができる。
【００８２】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００８３】
本発明は、撮像機能に特化した撮像装置のみに限られることはなく、アクセサリ等を着脱する着脱機構とそのロック機構を備えたその他の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等、各種の電子機器に対して広く適用することができる。
【００８４】
さらに、撮像素子を用いて画像を取得して、その取得画像を表示装置を用いて表示する機能を有する電子機器、例えば望遠鏡，双眼鏡，単眼鏡，顕微鏡等の観察用機器に対しても同様に適用することができる。
【００８５】
また、内視鏡，顕微鏡のような産業用若しくは医療用の観察機器等のほか、監視カメラや車載用カメラ等であっても同様に適用することができる。
【００８６】
これらに加えてさらに、例えば透過型液晶表示装置等を用いて画像を拡大投影する投影型画像表示装置等に対しても同様に適用することが可能である。
【符号の説明】
【００８７】
１……撮像装置
２……前面カバー
２ａ，１０ａ……撮像用開口
２ｂ……閃光発光窓
２ｃ……孔
３Ｌ，３Ｒ……トップカバー
４……回動操作レバー
５……シャッターレリーズボタン
６……電源ボタン
７……設定ダイヤル
８……ロック解除ボタン
８ａ……操作面
８ｂ……開口
８ｃ……フランジ部
８ｄ……切欠
９……係合部材
９ａ……係合孔
９ｂ……係合部
１０……本体筐体
１０ａ……撮像用開口
１０ｂ……閃光発光窓用開口
１０ｃ……バヨネット爪
１０ｄ……固定部
１０ｅ，１０ｆ……嵌合穴
１０ｇ……凹状溝
１０ｇｇ……傾斜面
１１……透明窓部材
１２……レンズ周縁装飾環
１４……付勢部材
１５……ロック板部材
１５ａ……貫通孔
１５ｂ……一腕部
１５ｃ……他腕部
１５ｄ……先端
１５ｅ……曲げ部
１５ｅｅ……先端
１５ｆ……曲げ部
１６……抜け止め板部材
１６ａ……ビス貫通孔
１６ｂ……オサエ部
１７……ビス
２０……ロック機構
２１……コンバージョンレンズ
２１ａ……雄ネジ部
２２……アダプタ
２２ａ……雌ネジ部
【図１】
0006765872.tif 000002
【図２】
0006765872.tif 000003
【図３】
0006765872.tif 000004
【図４】
0006765872.tif 000005
【図５】
0006765872.tif 000006
【図６】
0006765872.tif 000007
【図７】
0006765872.tif 000008
【図８】
0006765872.tif 000009
【図９】
0006765872.tif 000010